(57)【要約】【課題】第１のコイル導体のインダクタンス値と第２のコイル導体のインダクタンス値とを近づけることができるトランスを提供することである。【解決手段】コイル導体２０ａは、時計回りに周回しながら重心に向かう渦巻状をなしている。コイル導体２０ｂは、コイル導体２０ａよりも外周側においてコイル導体２０ａに沿って周回することにより渦巻状をなしている。外部電極１４ａは、直線ｌよりもｙ軸方向の負方向側に設けられている。引き出し導体２２ａは、端部ｔ１に接続され、かつ、外部電極１４ａと電気的に接続されている。外部電極１４ｂは、直線ｌよりもｙ軸方向の正方向側に設けられている。引き出し導体２２ｂは、端部ｔ２に接続され、かつ、外部電極１４ｂと電気的に接続されている。コイル導体２０ａは、時計回りに周回することにより外周側の端部ｔ１においてｙ軸方向の正方向側に向かう成分を有している。【選択図】図５
2014154869.tif 000002
【特許請求の範囲】
【請求項１】
本体と、
前記本体に設けられ、第１の所定方向から平面視したときに、第２の所定方向に周回しながら内周側に向かう渦巻状をなしている第１のコイル導体と、
前記本体に設けられ、第１の所定方向から平面視したときに、前記第１のコイル導体よりも外周側において該第１のコイル導体に沿って周回することにより渦巻状をなしている第２のコイル導体と、
第１の所定方向から平面視したときに、前記第１のコイル導体の重心と該第１のコイル導体の外周側の端部とを通過する第１の直線よりも該第１の直線に直交する第３の所定方向側において前記本体の表面に設けられている第１の外部電極と、
前記第１のコイル導体の外周側の端部に接続され、かつ、前記第１の外部電極と電気的に接続されている第１の引き出し導体と、
第１の所定方向から平面視したときに、前記第１の直線よりも第３の所定方向の反対方向である第４の所定方向側において前記本体の表面に設けられている第２の外部電極と、
前記第２のコイル導体の外周側の端部に接続され、かつ、前記第２の外部電極と電気的に接続されている第２の引き出し導体と、
を備えており、
前記第１のコイル導体と前記第２のコイル導体とは、互いに全長にわたって沿って周回しており、
前記第１のコイル導体は、第２の所定方向に周回することにより外周側の端部において第４の所定方向側に向かう成分を有していること、
を特徴とするトランス。
【請求項２】
前記本体は、複数の絶縁体層が積層されて構成されている積層体であること、
を特徴とする請求項１に記載のトランス。
【請求項３】
前記第１のコイル導体と前記第２のコイル導体とは、異なる前記絶縁体層上に設けられていること、
を特徴とする請求項２に記載のトランス。
【請求項４】
前記第１の引き出し導体と前記第２の引き出し導体とは、前記第１の直線に関して略線対称な関係にあること、
を特徴とする請求項１ないし請求項３のいずれかに記載のトランス。
【発明の詳細な説明】
【技術分野】
【０００１】
本発明は、トランスに関し、より特定的には、２つのコイルを内蔵しているトランスに関する。
【背景技術】
【０００２】
従来のトランスに関する発明としては、例えば、特許文献１に記載のコモンモードノイズフィルタが知られている。図１０は、特許文献１に記載のコモンモードノイズフィルタ５００の構成図である。
【０００３】
コモンモードノイズフィルタ５００は、第１コイル５１０、第２コイル５２０、引き出し部５１１，５１２，５２１，５２２及び外部電極５１３,５１４，５２３，５２４を備えている。第１コイル５１０と第２コイル５２０は、互いに同じ形状をなしており、渦巻状をなしている。第２コイル５２０は、平面視したときに、第１コイル５１０に対してわずかにずらされて配置されている。
【０００４】
外部電極５１３は、左側の側面に設けられている。外部電極５２３は、左側の側面において外部電極５１３よりも下側に設けられている。外部電極５１４は、右側の側面に設けられている。外部電極５２４は、右側の側面において外部電極５１４よりも下側に設けられている。引き出し部５１１は、第１コイル５１０と外部電極５１３とを接続している。引き出し部５１２は、第１コイル５１０と外部電極５１４とを接続している。引き出し部５２１は、第２コイル５２０と外部電極５２３とを接続している。引き出し部５２２は、第２コイル５２０と外部電極５２４とを接続している。
【０００５】
特許文献１に記載のコモンモードノイズフィルタ５００では、第１コイル５１０と第２コイル５２０が互いに同じ形状をなしているので、第１コイル５１０と第２コイル５２０との長さがそろっている。これにより、第１コイル５１０のインダクタンス値と第２コイル５２０のインダクタンス値とを近づけることができる。
【０００６】
しかしながら、特許文献１に記載のコモンモードノイズフィルタ５００では、第１コイル５１０のインダクタンス値と第２コイル５２０のインダクタンス値とに差が生じやすいという問題がある。より詳細には、引き出し部５１１は、左上に引き出されている。そのため、引き出し部５１１を流れる電流ｉ１は、第１コイル５１０において引き出し部５１１の近傍に位置する部分に流れる電流ｉ２の逆向きに流れるようになる。これにより、第１コイル５１０において引き出し部５１１の近傍に位置する部分が発生した磁界と引き出し部５１１が発生した磁界とが逆方向となる。よって、第１コイル５１０のインダクタンス値が小さくなる。
【０００７】
一方、引き出し部５２１は、左下に引き出されている。そのため、引き出し部５２１を流れる電流ｉ３は、第２コイル５２０において引き出し部５２１の近傍に位置する部分に流れる電流ｉ４の同じ向きに流れるようになる。これにより、第２コイル５２０において引き出し部５２１の近傍に位置する部分が発生した磁界と引き出し部５２１が発生した磁界とが同じ方向となる。よって、第２コイル５２０のインダクタンス値が大きくなる。以上より、特許文献１に記載のコモンモードノイズフィルタ５００では、第１コイル５１０のインダクタンス値と第２コイル５２０のインダクタンス値とに差が生じやすい。
【先行技術文献】
【特許文献】
【０００８】
【特許文献１】特開２００６−２４７７２号公報
【発明の概要】
【発明が解決しようとする課題】
【０００９】
そこで、本発明の目的は、第１のコイル導体のインダクタンス値と第２のコイル導体のインダクタンス値とを近づけることができるトランスを提供することである。
【課題を解決するための手段】
【００１０】
本発明の一形態に係るトランスは、本体と、前記本体に設けられ、第１の所定方向から平面視したときに、第２の所定方向に周回しながら内周側に向かう渦巻状をなしている第１のコイル導体と、前記本体に設けられ、第１の所定方向から平面視したときに、前記第１のコイル導体よりも外周側において該第１のコイル導体に沿って周回することにより渦巻状をなしている第２のコイル導体と、第１の所定方向から平面視したときに、前記第１のコイル導体の重心と該第１のコイル導体の外周側の端部とを通過する第１の直線よりも該第１の直線に直交する第３の所定方向側において前記本体の表面に設けられている第１の外部電極と、前記第１のコイル導体の外周側の端部に接続され、かつ、前記第１の外部電極と電気的に接続されている第１の引き出し導体と、第１の所定方向から平面視したときに、前記第１の直線よりも第３の所定方向の反対方向である第４の所定方向側において前記本体の表面に設けられている第２の外部電極と、前記第２のコイル導体の外周側の端部に接続され、かつ、前記第２の外部電極と電気的に接続されている第２の引き出し導体と、を備えており、前記第１のコイル導体と前記第２のコイル導体とは、互いに全長にわたって沿って周回しており、前記第１のコイル導体は、第２の所定方向に周回することにより外周側の端部において第４の所定方向側に向かう成分を有していること、を特徴とする。
【発明の効果】
【００１１】
本発明によれば、第１のコイル導体のインダクタンス値と第２のコイル導体のインダクタンス値とを近づけることができる。
【図面の簡単な説明】
【００１２】
【図１】トランスの外観斜視図である。
【図２】トランスの積層体の分解斜視図である。
【図３】トランスのコイル導体及び引き出し導体を平面視した図である。
【図４】トランスのコイル導体及び引き出し導体を平面視した図である。
【図５】コイル導体及び引き出し導体を重ねて表示した図である。
【図６】第１のモデルの周波数とＳ２１，Ｓ４３の位相差との関係を示したグラフである。
【図７】第２のモデルの周波数とＳ２１，Ｓ４３の位相差との関係を示したグラフである。
【図８】第１のモデル及び第２のモデルの周波数とＳｄｃ２１との関係を示したグラフである。
【図９】第１のモデル及び第２のモデルの周波数とＣＭＲＲとの関係を示したグラフである。
【図１０】特許文献１に記載のコモンモードノイズフィルタの構成図である。
【発明を実施するための形態】
【００１３】
以下に、本発明の実施形態に係るトランスについて図面を参照しながら説明する。
【００１４】
（トランスの構成）
まず、トランスの構成について図面を参照しながら説明する。図１は、トランス１０の外観斜視図である。図２は、トランス１０の積層体１２の分解斜視図である。図３は、トランス１０のコイル導体２０ａ及び引き出し導体２２ａ，２４ａを平面視した図である。図４は、トランス１０のコイル導体２０ｂ及び引き出し導体２２ｂ，２４ｂを平面視した図である。図５は、コイル導体２０ａ，２０ｂ及び引き出し導体２２ａ，２２ｂ，２４ａ，２４ｂを重ねて表示した図である。以下では、積層体１２の積層方向をｚ軸方向と定義する。積層体１２をｚ軸方向から平面視したときの積層体１２の２辺が延在している方向をｘ軸方向及びｙ軸方向と定義する。ｘ軸方向、ｙ軸方向及びｚ軸方向は互いに直交している。
【００１５】
トランス１０は、図１ないし図２に示すように、積層体１２、外部電極１４ａ〜１４ｄ、コイル導体２０ａ，２０ｂ、引き出し導体２２ａ，２２ｂ，２４ａ，２４ｂ及びビアホール導体ｖ１，ｖ２を備えている。
【００１６】
積層体１２は、図１及び図２に示すように、直方体状をなしており、磁性体部１６ａ，１６ｂ及び非磁性体部１８を含んでいる。磁性体部１６ａ，１６ｂは、フェライト等の磁性体材料により構成されており、直方体状をなしている。また、非磁性体部１８は、非磁性体層（絶縁体層）１８ａ〜１８ｅがｚ軸方向の正方向側からこの順に並ぶように積層されることにより構成されている。非磁性体層１８ａ〜１８ｅは、矩形状をなしており、硼珪酸ガラス及びセラミックスフィラーからなる非磁性材料により構成されている。以下では、非磁性体層１８ａ〜１８ｅのｚ軸方向の正方向側の面を表面と称し、非磁性体層１８ａ〜１８ｅのｚ軸方向の負方向側の面を裏面と称す。
【００１７】
コイル導体２０ａ，２０ｂは、積層体１２内に設けられ、かつ、互いに電磁気結合している。より詳細には、コイル導体２０ａは、図２及び図３に示すように、非磁性体層１８ｃの表面に設けられている線状導体からなり、ｚ軸方向から平面視したときに、時計回り方向に旋回しながら内周側に近づく渦巻き形状をなしている。コイル導体２０ｂは、図２及び図４に示すように、コイル導体２０ａが設けられている非磁性体層１８ｃよりもｚ軸方向の負方向側に位置している非磁性体層１８ｄの表面に設けられている線状導体からなり、ｚ軸方向から平面視したときに、時計回り方向に旋回しながら内周側に近づく渦巻き形状をなしている。また、コイル導体２０ｂは、図２及び図５に示すように、ｚ軸方向から平面視したときに、コイル導体２０ａよりも外周側においてコイル導体２０ａに沿って周回することにより渦巻状をなしている。本実施形態では、コイル導体２０ａとコイル導体２０ｂとは、線幅方向において互いに一部において重なりあっている。また、コイル導体２０ａとコイル導体２０ｂとは、互いに全長にわたって沿って周回している。よって、コイル導体２０ａの外周側の端部ｔ１とコイル導体２０ｂの外周側の端部ｔ２とは隣り合っており、コイル導体２０ａの内周側の端部ｔ３とコイル導体２０ｂの内周側の端部ｔ４とは隣り合っている。また、コイル導体２０ｂは、コイル導体２０ａよりも長い。
【００１８】
また、端部ｔ１，ｔ３及びコイル導体２０ａの重心Ｃ１は、ｘ軸方向に一直線に並んでいる。重心Ｃ１とは、コイル導体２０ａをｚ軸方向から平面視したときのコイル導体２０ａの重心を意味する。本実施形態では、重心Ｃ１は、コイル導体２０ａの中心と一致している。端部ｔ１は、重心Ｃ１よりもｘ軸方向の負方向側に位置する。これにより、コイル導体２０ａは、時計回りに周回することにより外周側の端部ｔ１においてｙ軸方向の正方向側に向かう成分を有している。すなわち、コイル導体２０ａは、外周側の端部ｔ１からｙ軸方向の正方向側に進行することによって周回を開始している。端部ｔ３は、重心Ｃ１よりもｘ軸方向の正方向側に位置する。
【００１９】
また、端部ｔ２，ｔ４及びコイル導体２０ｂの重心Ｃ２は、ｘ軸方向に一直線に並んでいる。重心Ｃ２とは、コイル導体２０ｂをｚ軸方向から平面視したときのコイル導体２０ｂの重心を意味する。本実施形態では、重心Ｃ２は、コイル導体２０ｂの中心と一致している。端部ｔ２は、重心Ｃ２よりもｘ軸方向の負方向側に位置する。これにより、コイル導体２０ｂは、時計回りに周回することにより外周側の端部ｔ２においてｙ軸方向の正方向側に向かう成分を有している。すなわち、コイル導体２０ｂは、外周側の端部ｔ２からｙ軸方向の正方向側に進行することによって周回を開始している。端部ｔ４は、重心Ｃ２よりもｘ軸方向の正方向側に位置する。
【００２０】
なお、本実施形態では、重心Ｃ１と重心Ｃ２とは、ｚ軸方向から平面視したときに一致している。したがって、端部ｔ１〜ｔ４及び重心Ｃ１，Ｃ２は、ｘ軸方向に一直線に並んでいる。以下では、端部ｔ１〜ｔ４及び重心Ｃ１，Ｃ２を通過する直線を直線ｌと呼ぶ。直線ｌは、ｘ軸方向に延在している。
【００２１】
外部電極１４ａ，１４ｂはそれぞれ、図１に示すように、積層体１２のｘ軸方向の負方向側の側面に設けられており、ｚ軸方向に延在する長方形状をなしている。外部電極１４ａは、ｚ軸方向から平面視したときに、図５に示すように、直線ｌよりもｙ軸方向の負方向側に設けられている。また、外部電極１４ｂは、ｚ軸方向から平面視したときに、図５に示すように、直線ｌよりもｙ軸方向の正方向側に設けられている。外部電極１４ａと外部電極１４ｂとは、直線ｌに関して線対称な関係にある。
【００２２】
外部電極１４ｃ，１４ｄはそれぞれ、図１に示すように、積層体１２のｘ軸方向の正方向側の側面に設けられており、ｚ軸方向に延在する長方形状をなしている。外部電極１４ｃは、ｚ軸方向から平面視したときに、図５に示すように、直線ｌよりもｙ軸方向の負方向側に設けられている。また、外部電極１４ｄは、ｚ軸方向から平面視したときに、図５に示すように、直線ｌよりもｙ軸方向の正方向側に設けられている。外部電極１４ｃと外部電極１４ｄとは、直線ｌに関して線対称な関係にある。
【００２３】
引き出し導体２２ａは、図２、図３及び図５に示すように、コイル導体２０ａの外周側の端部ｔ１に接続され、かつ、外部電極１４ａと電気的に接続されている。より詳細には、引き出し導体２２ａは、引き出し部３０ａ，３１ａ及び接続部３２ａを含んでいる。引き出し部３０ａは、非磁性体層１８ｃの表面において、コイル導体２０ａの外周側の端部ｔ１からｘ軸方向の負方向側に向かって延在している。ただし、引き出し部３０ａは、積層体１２のｘ軸方向の負方向側の側面には引き出されていない。引き出し部３１ａは、引き出し部３０ａのｘ軸方向の負方向側の端部からｙ軸方向の負方向側に向かって延在している。よって、引き出し部３０ａ，３１ａは、Ｌ字型をなしている。接続部３２ａは、非磁性体層１８ｃの表面において、引き出し部３１ａのｙ軸方向の負方向側の端部に接続され、非磁性体層１８ｃのｘ軸方向の負方向側の辺に引き出されている。これにより、接続部３２ａは、積層体１２のｘ軸方向の負方向側の側面から、ｙ軸方向に延在する線状に露出している。その結果、接続部３２ａは、外部電極１４ａと接続されている。
【００２４】
引き出し導体２２ｂは、図２、図４及び図５に示すように、コイル導体２０ｂの外周側の端部ｔ２に接続され、かつ、外部電極１４ｂと電気的に接続されている。より詳細には、引き出し導体２２ｂは、引き出し部３０ｂ，３１ｂ及び接続部３２ｂを含んでいる。引き出し部３０ｂは、非磁性体層１８ｄの表面において、コイル導体２０ｂの外周側の端部ｔ２からｘ軸方向の負方向側に向かって延在している。ただし、引き出し部３０ｂは、積層体１２のｘ軸方向の負方向側の側面には引き出されていない。引き出し部３１ｂは、引き出し部３０ｂのｘ軸方向の負方向側の端部からｙ軸方向の正方向側に向かって延在している。よって、引き出し部３０ｂ，３１ｂは、Ｌ字型をなしている。接続部３２ｂは、非磁性体層１８ｄの表面において、引き出し部３１ｂのｙ軸方向の正方向側の端部に接続され、非磁性体層１８ｄのｘ軸方向の負方向側の辺に引き出されている。これにより、接続部３２ｂは、積層体１２のｘ軸方向の負方向側の側面から、ｙ軸方向に延在する線状に露出している。その結果、接続部３２ｂは、外部電極１４ｂと接続されている。
【００２５】
ここで、引き出し導体２２ａと引き出し導体２２ｂとは、直線ｌに関して対称な関係にある。よって、引き出し部３０ａと引き出し部３０ｂとは、略等しい長さを有している。また、引き出し部３１ａと引き出し部３１ｂとは、略等しい長さを有している。
【００２６】
引き出し導体２４ａは、図２、図３及び図５に示すように、コイル導体２０ａの内周側の端部ｔ３に接続され、かつ、外部電極１４ｃと電気的に接続されている。より詳細には、引き出し導体２４ａは、引き出し部３４ａ，３５ａ及び接続部３６ａを含んでいる。引き出し部３４ａは、非磁性体層１８ｂの表面において、コイル導体２０ａの内周側の端部ｔ３からｘ軸方向の正方向側に向かって延在している。ただし、引き出し部３４ａは、積層体１２のｘ軸方向の正方向側の側面には引き出されていない。引き出し部３５ａは、引き出し部３４ａのｘ軸方向の正方向側の端部からｙ軸方向の負方向側に向かって延在している。よって、引き出し部３４ａ，３５ａは、Ｌ字型をなしている。接続部３６ａは、非磁性体層１８ｂの表面において、引き出し部３５ａのｙ軸方向の負方向側の端部に接続され、非磁性体層１８ｂのｘ軸方向の正方向側の辺に引き出されている。これにより、接続部３６ａは、積層体１２のｘ軸方向の正方向側の側面から、ｙ軸方向に延在する線状に露出している。その結果、接続部３６ａは、外部電極１４ｃと接続されている。
【００２７】
引き出し導体２４ｂは、図２、図４及び図５に示すように、コイル導体２０ｂの内周側の端部ｔ４に接続され、かつ、外部電極１４ｄと電気的に接続されている。より詳細には、引き出し導体２４ｂは、引き出し部３４ｂ，３５ｂ及び接続部３６ｂを含んでいる。引き出し部３４ｂは、非磁性体層１８ｅの表面において、コイル導体２０ｂの内周側の端部ｔ４からｘ軸方向の正方向側に向かって延在している。ただし、引き出し部３４ｂは、積層体１２のｘ軸方向の正方向側の側面には引き出されていない。引き出し部３５ｂは、引き出し部３４ｂのｘ軸方向の正方向側の端部からｙ軸方向の正方向側に向かって延在している。よって、引き出し部３４ｂ，３５ｂは、Ｌ字型をなしている。接続部３６ｂは、非磁性体層１８ｅの表面において、引き出し部３５ｂのｙ軸方向の正方向側の端部に接続され、非磁性体層１８ｅのｘ軸方向の正方向側の辺に引き出されている。これにより、接続部３６ｂは、積層体１２のｘ軸方向の正方向側の側面から、ｙ軸方向に延在する線状に露出している。その結果、接続部３６ｂは、外部電極１４ｄと接続されている。
【００２８】
ここで、引き出し導体２４ａと引き出し導体２４ｂとは、直線ｌに関して対称な関係にある。引き出し部３４ａと引き出し部３４ｂとは、略等しい長さを有している。また、引き出し部３５ａと引き出し部３５ｂとは、略等しい長さを有している。
【００２９】
ビアホール導体ｖ１は、非磁性体層１８ｂをｚ軸方向に貫通しており、コイル導体２０ａの内周側の端部ｔ３と引き出し部３４ａのｘ軸方向の負方向側の端部とを接続している。ビアホール導体ｖ２は、非磁性体層１８ｄをｚ軸方向に貫通しており、コイル導体２０ｂの内周側の端部ｔ４と引き出し部３４ｂのｘ軸方向の負方向側の端部とを接続している。
【００３０】
以上のように構成されたトランス１０では、コイル導体２０ａが発生した磁束がコイル導体２０ｂを通過し、コイル導体２０ｂが発生した磁束がコイル導体２０ａを通過する。したがって、コイル導体２０ａとコイル導体２０ｂとが磁気結合するようになり、コイル導体２０ａとコイル導体２０ｂとがコモンモードチョークコイルを構成するようになる。そして、外部電極１４ａ，１４ｂが入力端子として用いられ、外部電極１４ｃ，１４ｄが出力端子として用いられる。すなわち、差動伝送信号が、外部電極１４ａ，１４ｂから入力し、外部電極１４ｃ，１４ｄから出力する。そして、差動伝送信号にコモンモードノイズが含まれている場合には、コイル導体２０ａ，２０ｂは、コモンモードノイズにより、同じ方向に磁束を発生する。そのため、磁束同士が強め合うようになり、コモンモードノイズに対するインピーダンスが発生する。その結果、コモンモードノイズは、熱に変換されて、コイル導体２０ａ，２０ｂを通過することが妨げられる。
【００３１】
（効果）
本実施形態に係るトランス１０によれば、コイル導体２０ａのインダクタンス値とコイル導体２０ｂのインダクタンス値とを近づけることができる。より詳細には、外部電極１４ａは、ｚ軸方向から平面視したときに、直線ｌよりもｙ軸方向の負方向側に設けられている。よって、引き出し導体２２ａは、ｙ軸方向の負方向側に向かって延在している。そのため、コイル導体２０ａに時計回り方向に電流が流れると、引き出し部３１ａにはｙ軸方向の正方向側に向かって電流ｉ１１が流れる。これにより、引き出し部３１ａよりもｘ軸方向の正方向側では、ｚ軸方向の負方向側に向かう磁界が発生する。一方、コイル導体２０ａに時計回り方向に電流が流れると、コイル導体２０ａの内部には、ｚ軸方向の負方向側に向かう磁界が発生する。よって、コイル導体２０ａでは、引き出し部３１ａが発生する磁界とコイル導体２０ａが発生する磁界とが同方向となり、コイル導体２０ａのインダクタンス値が相対的に大きくなる。
【００３２】
外部電極１４ｂは、ｚ軸方向から平面視したときに、直線ｌよりもｙ軸方向の正方向側に設けられている。よって、引き出し導体２２ｂは、ｙ軸方向の正方向側に向かって延在している。そのため、コイル導体２０ｂに時計回り方向に電流が流れると、引き出し部３１ｂにはｙ軸方向の負方向側に向かって電流ｉ１２が流れる。これにより、引き出し部３１ｂよりもｘ軸方向の正方向側では、ｚ軸方向の正方向側に向かう磁界が発生する。一方、コイル導体２０ｂに時計回り方向に電流が流れると、コイル導体２０ｂの内部には、ｚ軸方向の負方向側に向かう磁界が発生する。よって、コイル導体２０ｂでは、引き出し部３１ｂが発生する磁界とコイル導体２０ｂが発生する磁界とが逆方向となり、コイル導体２０ｂのインダクタンス値が相対的に小さくなる。以上のように、引き出し導体２２ａ，２２ｂによって、コイル導体２０ｂのインダクタンス値がコイル導体２０ａのインダクタンス値よりも小さくなるおそれがある。
【００３３】
そこで、トランス１０では、コイル導体２０ｂは、ｚ軸方向から平面視したときに、コイル導体２０ａよりも外周側においてコイル導体２０ａに沿って周回している。そして、コイル導体２０ａとコイル導体２０ｂとは、互いに全長にわたって沿って周回している。よって、コイル導体２０ｂの方がコイル導体２０ａよりも長くなる。すなわち、コイル導体２０ｂが発生する磁界が、コイル導体２０ａが発生する磁界よりも強くなる。その結果、コイル導体２０ａのインダクタンス値とコイル導体２０ｂのインダクタンス値とが近づくようになる。
【００３４】
以上のように、コイル導体２０ａのインダクタンス値とコイル導体２０ｂのインダクタンス値とが近づくと、トランス１０をコモンモードチョークコイルとして用いた場合に、第１の信号及び第２の信号からなる差動伝送信号において、第１の信号の位相と第２の信号の位相との間の位相差が１８０度に近づく。
【００３５】
また、コイル導体２０ａのインダクタンス値とコイル導体２０ｂのインダクタンス値とが近づくと、トランス１０をコモンモードチョークコイルとして用いた場合に、第１の信号及び第２の信号からなるデファレンシャルモードの信号がトランス１０を通過する際に、第１の信号がコイル導体２０ａにおいて発生させる磁束と第２の信号がコイル導体２０ｂにおいて発生させる磁束とが効率よく打ち消される。これにより、デファレンシャルモードの信号がトランス１０においてコモンモードノイズに変換されることが抑制される。
【００３６】
また、コイル導体２０ａのインダクタンス値とコイル導体２０ｂのインダクタンス値とが近づくと、トランス１０をバランとして用いた場合に、位相が１８０度異なる第１の信号及び第２の信号からなるデファレンシャルの信号が出力されるようになる。これにより、出力信号にコモンモードノイズが含まれることが抑制される。
【００３７】
本願発明者は、トランス１０が奏する効果をより明確にするために、以下に説明するコンピュータシミュレーションを行った。本願発明者は、第１のモデルとして、トランス１０の構造を有するモデルを作成するとともに、第２のモデルとして、トランス１０においてｚ軸方向から平面視したときにコイル導体２０ａとコイル導体２０ｂとが一致した状態で重なったモデルを作成した。第１のモデルは、実施例に係るモデルであり、第２のモデルは、比較例に係るモデルである。そして、第１のモデル及び第２のモデルをコモンモードチョークコイルとして用いて、第１のモデル及び第２のモデルに差動伝送信号を入力させて、Ｓパラメータを演算した。演算したＳパラメータは、Ｓ２１,Ｓ４３，Ｓｄｃ２１である。Ｓ２１，Ｓ４３は、第１のモデル及び第２のモデルの通過特性である。具体的には、Ｓ２１は、外部電極１４ａに入力した第１の信号の強度に対する外部電極１４ｃから出力する第１の信号の強度の比の値である。Ｓ４３は、外部電極１４ｂに入力した第２の信号の強度に対する外部電極１４ｄから出力する第２の信号の強度の比の値である。Ｓｄｃ２１とは、デファレンシャルモードの信号がコモンモードノイズに変換される割合を示すパラメータである。
【００３８】
図６は、第１のモデルの周波数とＳ２１，Ｓ４３の位相差との関係を示したグラフである。図７は、第２のモデルの周波数とＳ２１，Ｓ４３の位相差との関係を示したグラフである。図８は、第１のモデル及び第２のモデルの周波数とＳｄｃ２１との関係を示したグラフである。図６及び図７において、縦軸は位相差を示し、横軸は周波数を示す。図８において、縦軸は強度比を示し、横軸は周波数を示す。
【００３９】
図７によれば、第２のモデルでは、Ｓ２１，Ｓ４３において同じ位相差が発生する周波数が異なっていることが分かる。すなわち、第２のモデルでは、入力時の第１の信号と出力時の第１の信号との位相差と、入力時の第２の信号と出力時の第２の信号との位相差とにずれが発生していることが分かる。よって、第２のモデルでは、出力される第１の信号及び第２の信号の間の位相差が１８０度からずれやすいことが分かる。
【００４０】
一方、図６によれば、第１のモデルでは、Ｓ２１，Ｓ４３において同じ位相差が発生する周波数が等しいことが分かる。すなわち、第１のモデルでは、入力時の第１の信号と出力時の第１の信号との位相差と、入力時の第２の信号と出力時の第２の信号との位相差とにずれが発生しにくいことが分かる。よって、第１のモデルでは、出力される第１の信号及び第２の信号の間の位相差が１８０度からずれにくいことが分かる。
【００４１】
また、図８によれば、第１のモデルの方が、第２のモデルよりも、Ｓｄｃ２１が低いことが分かる。したがって、第１のモデルでは、第２のモデルよりも、デファレンシャルモードの信号がコモンモードノイズに変換されることが抑制されていることが分かる。
【００４２】
更に、本願発明者は、第１のモデル及び第２のモデルを用いて、以下のコンピュータシミュレーションを行った。具体的には、第１のモデル及び第２のモデルをバランとして用いて、第１のモデル及び第２のモデルに第１の信号を入力させて、ＣＭＲＲ（同相信号除去比）を演算した。図９は、第１のモデル及び第２のモデルの周波数とＣＭＲＲとの関係を示したグラフである。図９において、縦軸はＣＭＲＲを示し、横軸は周波数を示す。
【００４３】
図９によれば、第１のモデルの方が、第２のモデルよりもＣＭＲＲが高くなっていることが分かる。よって、第１のモデルの方が、第２のモデルよりも出力信号に含まれるコモンモード成分の強度が小さいことが分かる。
【００４４】
（その他の実施形態）
本発明に係るトランスは、前記トランス１０に限らずその要旨の範囲内において変更可能である。
【００４５】
なお、トランス１０において、コイル導体２０ａの重心とコイル導体２０ａｂの重心とをｚ軸方向に貫通する磁性体材料からなるコアが設けられていてもよい。これにより、コイル導体２０ａとコイル導体２０ｂとの結合係数を高くすることができる。
【００４６】
なお、トランス１０では、図５に示すように、ｚ軸方向から平面視したときに、コイル導体２０ａとコイル導体２０ｂとが線幅方向において一部重なっている。しかしながら、コイル導体２０ａとコイル導体２０ｂとは、線幅方向に重なっていなくてもよい。この場合には、ｚ軸方向から平面視したときに、隣り合うコイル導体２０ａの間にコイル導体２０ｂが位置し、隣り合うコイル導体２０ｂの間にコイル導体２０ａが位置している。この場合、コイル導体２０ａとコイル導体２０ｂとが重なっていないので、コイル導体２０ａが設けられた領域のｚ軸方向の厚みとコイル導体２０ｂが設けられた領域のｚ軸方向の厚みとの差を小さくすることができる。その結果、積層体１２に凹凸が形成されることが抑制される。
【００４７】
また、コイル導体２０ａとコイル導体２０ｂとがｚ軸方向に重なっていない場合には、コイル導体２０ａとコイル導体２０ｂとは、同じ絶縁体層上に設けられていてもよい。
【００４８】
また、コイル導体２０ａ，２０ｂは、円形の外縁を有しているが、矩形状の外縁や楕円状の外縁を有していてもよい。
【００４９】
なお、積層体１２の代わりに板状の基板が用いられてもよい。この場合、基板のｚ軸方向の正方向側の主面にコイル導体２０ａが設けられ、基板のｚ軸方向の負方向側の主面にコイル導体２０ｂが設けられる。
【産業上の利用可能性】
【００５０】
以上のように、本発明は、トランスに有用であり、特に、第１のコイル導体のインダクタンス値と第２のコイル導体のインダクタンス値とを近づけることができる点において優れている。
【符号の説明】
【００５１】
Ｃ１，Ｃ２  重心
ｔ１〜ｔ４  端部
１０  トランス
１２  積層体
１４ａ〜１４ｄ  外部電極
１８ａ〜１８ｅ  非磁性体層
２０ａ，２０ｂ  コイル導体
２２ａ，２２ｂ，２４ａ，２４ｂ  引き出し導体
【図１】
2014154869.tif 000003
【図２】
2014154869.tif 000004
【図３】
2014154869.tif 000005
【図４】
2014154869.tif 000006
【図５】
2014154869.tif 000007
【図６】
2014154869.tif 000008
【図７】
2014154869.tif 000009
【図８】
2014154869.tif 000010
【図９】
2014154869.tif 000011
【図１０】
2014154869.tif 000012